(57)【要約】【課題】吊り下げ商品をフックに吊り下げた状態で携帯、運搬可能に収納するとともに、そのまま販売展示可能となる展示用具を提供する。【解決手段】フック有する展示用ケースの前面に携帯時フック吊持商品が脱落しないように封具を設けて構成される。【選択図】  図１
2004267726.tif 000002
【特許請求の範囲】
【請求項１】
補助用箱体と、該補助用箱体に立設状態で維持できるように開閉するように設けられた展示用箱体とより構成されるケース本体と、
展示用箱体の背板から前面方向へ伸びたフックと、
箱を閉じた状態で止めるストッパー部とより構成され、
補助用箱体は少なくとも箱を閉じた状態で展示用箱体に吊持された吊持商品が外部から視認できる透過部を有するものであることを特徴とする展示用具。
【請求項２】
前面が開口状態となり展示状態で立設可能な箱状のケース本体と、該ケース本体の背板から前面方向へ伸びたフックと、ケース本体開口面に粘着層を介して取り付けられる透過性素材よりなる前面封具とより構成され、前面封具取り付け状態でフックと前面封具間がフックに吊持された吊持商品が脱落しない間隔であることを特徴とする展示用具。
【請求項３】
フックが位置調整可能に設けられたものであることを特徴とする請求項１または２記載の展示用具。
【請求項４】
ケース本体背面に商品販売促進の内容を表記したポップ台紙を収納する収納部を設けたことを特徴とする請求項１、２又は３記載の展示用具。
【請求項５】
ケース本体にポップ台紙を展示可能に取り付けられるポップ台紙支持機構を設けたことを特徴とする請求項１、２、３又は４記載の展示用具。
【請求項６】
上下あるいは左右に任意の組立機構を具備するものであることを特徴とする請求項１、２、３、４又は５記載の展示用具。
【請求項７】
封具がポップ台紙であることを特徴とする請求項１、２、３、４、５又は６記載の展示用具。
【請求項８】
ケース本体あるいはケース本体及びフックが償却可能な素材あるいは土壌還元素材よりなるものであることを特徴とする請求項１、２、３、４、５、６又は７記載の展示用具。
【発明の詳細な説明】
【０００１】
【発明の属する技術分野】
本発明は、吊り下げ商品をフックに吊り下げた状態で携帯、運搬可能に収納するとともに、そのまま販売展示可能となる展示用具に関するものである。
【０００２】
【従来の技術】
従来、吊り下げ商品の陳列用具としては、商品とは別体として販売流通していた。陳列具は、店頭において設置されて使用されていた。
また、吊り下げ商品は、運搬流通用の箱に梱包され、陳列時は梱包を開封し、商品を取り出して陳列具に吊り下げられていた。
【０００３】
【発明が解決しようとする課題】
これら従来技術にあっては、以下のような欠点があった。
流通時、梱包内の商品を直接みることはできないため、パンフレットや梱包箱に印刷された写真から商品を確認するが、微妙な色や素材感を購入側に確認できなかった。また、梱包内の損傷品を確認することができないため、開封後これら損傷品の交換をする必要性があった。これは、購入側はもちろん、販売側にとっても不要な経費および労力につながっていた。
営業において、商品を見せる為には梱包を開封して商品を見せるが、この際、梱包が一度開封されるため、梱包セット状態で販売できなかった。
店頭で販売する店舗側は、陳列する際梱包を一つずつ開封し陳列具に吊り下げる作業が必要となっていた。
また、梱包箱はゴミとして廃棄されていた。
本発明はこれら欠点を解決するものである。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００５】
【課題を解決するための手段】
上記目的を達成するために、本発明は展示用フックを有する箱体を立設可能とするとともに、運搬、流通時吊り下げた商品を脱落させることなく前記箱体を塞ぐ透過性の箱体あるいは透明フィルムより構成される。
【０００６】
【発明の実施の形態】
本発明の第一実施の形態について、図１から図４をもちいて説明する。
図１は、本発明の使用断面図。図２は本発明の斜視図。図３は本発明の使用状態図。図４は本発明の使用状態図である。
本発明において、前面の箱体１ｂと後面の箱体１ａが兆番７で連結されている。ここで用いられる兆番としては、前面箱体１ｂを倒し後面側箱体１ａを開いた際、後面側箱体１ａがたった状態で維持できる機構となったものである。図においては、兆番７は、閉じた状態で邪魔にならないよう箱体１ａ、１ｂに構成された空間部に閉じた状態で収納されることによって構成されているが、兆番はこの構造に限定されるものではなく、開閉可能となるものであればよい。そのため、兆番は外部に取り付けられたものでもよいが、好ましくは閉じた状態で箱体全体が立設可能となるようにする。
また、箱体を閉じた状態で固定させるために、任意のストッパー機構を持つ。図においては、前面箱体１ｂび突起状のストッパー９ａが設けられており、後面の箱体１ａにはこのストッパー９ａに係止するための可動片１０を有するストッパー９ｂが設けられている。
箱体１ｂは、閉じた状態で中が見えるようにアクリルなどの透明な材料よりなるものが考えられる。但し、全体が透明である必要性はなく、少なくとも前面にあたる部分もしくは、その一部が透明であってもよい。
箱体１ａには図１に示すように前面に向けて伸びたフック３が複数設けられている。図においては、フック後部が箱体１ａの挿入部４に挿入されて固定されている。また、より安定性を向上されるために、フックベース８が設けられており、箱体１ａと接触する面に粘着材を利用することが検討できる。このフック３は箱体を閉じた状態にしたときに、その先端が箱体１ｂに接触するかあるいは吊持させた商品の紐が外れないための隙間となるように構成されている。
箱体１ａには、箱体を携帯できるようにするため、把手８が設けられている。
本発明は以上の構成よりなる。
【０００７】
これを利用するときは、フック３に吊り下げ商品６を吊り下げた状態であらかじめセットし、流通される。この際、全ての商品を吊り下げてもよいが、一部を図１に示すように隙間に収納してもよい、この場合、箱体を開いた際は図４に示すように箱体１ｂにばらばらに置かれた状態となり、店頭での展示時、お客が手で取って商品を確認することができるので、そのための作業をかけることなく、より効率的な展示が可能となる。
店舗に対しての営業時や流通時は箱体を閉じた状態として把手で持ち歩くことができるとともに、あけることなく中の商品を見せることも可能となる。また、閉店時に他の場所に移動させ盗難を防ぐ為の場所や金庫に管理することが可能となる。
また、露天販売や移動店舗においてはその効果は如実であり、簡単に展示、撤去、移動ができる。
【０００８】
以下、第二の実施形態について図５から図１０を利用して説明する。
図５は本発明の第二実施形態の正面図、図６は本発明の第二実施形態の使用断面図、図７は本発明の第二実施形態の使用断面図、図８は本発明の第二実施形態の背面図、図９は本発明の第二実施形態の使用正面図、図１０は本発明の第二実施形態の使用断面図である。
本事例においては、箱体１は前面が開口状態となったものである。前面左右側板の内側にはガイド溝１２が設けられている。また、背面には、上面から挿入できる収納部１３が設けられており、図８に示すように収納部１３の背板には下方に切り込まれた切り込み１６が設けられている。また、箱体１の後部には、その他にポップ台紙を立設させるために立設溝１４が設けられている。
前記、箱体１にはフック３が複数設けられている。図においてフックは前記実施形態と異なり、複数のフック３が個別に箱体１に設けられている。これは前記実施形態にも利用できるものである。
本実施例においては、ガイド溝１２に挿入できるように商品の説明等を記載したポップ台紙１１が具備されている。ポップ台紙１１は、商品販売時に販売に役立つ商品広告が印刷されたものである。このポップ台紙については、通常の紙に印刷したものであってもよいが、一部に中が見えるのぞき穴を設けたものであってもよい。のぞき穴がある場合においては、商品が脱落しない範囲で開口した状態であってもよいが、透明フィルムを貼ったものであってもよい。また、ポップ台紙１１として、透明あるいは半透明なフィルムに印刷したものであってもよい。
前記収納部１３及び立設溝１４はこのポップ台紙１１の形状に合わせたものとなっている。また、フック３は第一実施形態と同様に封具であるポップ台紙１１をガイド溝１２に挿入した状態で、ポップ台紙１１に対して接触しているか、吊り下げた商品が脱落しないような隙間となるような長さとなっている。
本実施形態においては、以上のような構造よりなっている。
【０００９】
この使用方法について、以下説明する。
本発明の出荷時には、図６に示すようにフック３に商品６を吊り下げ、ガイド溝１２にポップ台紙１１を取り付ける。
出荷時においては、図５に示すようにガイド溝１２に挿入されたポップ台紙１１が抜けないように箱体１に固定するシール１５を設ける。
展示時には、このシール１５をはがし、図１０に示すように立設溝１４に差込みポップ台紙１１を箱体上部に立てかけて展示することが可能となる。
また、ポップ台紙１１が不要な場合は、収納部１３に収納することができる。この際、切り込み１６があることによって取り出しが容易となる。箱体１が図９に示すように透明素材よりなる場合は、収納部に収納した状態であってもポップ効果を生み出すことが可能となる。
【００１０】
以下、本発明の第三実施の形態について図１１から図１６をもちいて説明する。
図１１は本発明の第三実施形態の斜視図、図１２は本発明の第三実施形態の斜視分解図、図１３は本発明の第三実施形態の断面図、図１４は本発明の第三実施形態の断面分解図、図１５は本発明の透明フィルムの背面図、図１６は本発明の第三実施形態の斜視図である。
本実施形態においては、フック取付部を位置調整できるとともに、透明フィルムによる封具がもちいられたものである。
箱体１は、前面が開口状態となった単純な箱構造となっている。フック３は複数個がフックベース５に一定間隔で設けられており、フック挿入部４がフックベース５から突出するように設けられている。箱体１には、この連接されたフック３のフック挿入部４が挿入されるための差込み穴１９が上下位置に複数設けられている。
また、本実施形態においてはフック３を固定するために各フック挿入部４を固定する為の穴を有する固定部材２０が具備されている。各穴の内側には、フック挿入部４を挿入可能とするとともに、挿入したフック挿入部４が外れないように内側にパッキン２２が設けられている。このパッキン２２については、穴がある程度の締め付けが可能であれば必ずしも必要とはしない。また、前記各実施形態においてもこの構造は有効である。
封具は、開口部前面を覆う形状よりなる透明フィルム１７で構成されている。図１５に示すように透明フィルム１７の箱体１の設置面に当たる位置には粘着層２１が設けられている。また、透明フィルム１７の上部には突出した形状のつまみ部１８が構成されている。
前記フック３は前記各実施形態にあるように、その先端と封具である透明フィルム間で隙間がないかあるいは商品が脱落しない範囲の隙間間隔となるようになっている。
本発明は以上の構成よりなっている。
【００１１】
以下、本発明の使用方法について説明する。
出荷時は、商品の長さに合わせた位置にフック３が位置するようにフック挿入部４を箱体１に設けられた差込穴１９に差込み、その露出部分に固定部材２０を装着する。これによりフック３を固定することが可能となる。
その状態で商品をフック３に吊り下げたり、下部の収納空間に入れる。そして、透明フィルム１７の粘着層２１が箱体１の開口部に接する位置にあわせて透明フィルムを貼り付ける。その状態で営業、流通工程に利用する。
これを展示する際は、展示場所に本発明を置いて上で透明フィルム１７をはがし展示する。はがす際は、前記つまみ部１８を指で挟んではがす。
また販売時、その状況においてフックの位置を変えることも可能である。例えば、上下２段で商品を吊るしていた場合、半分以上売れた場合、商品をばらばらに各フックに吊るしていると隙間が目立ち、売れ残り感を購買者に与えてしまう。その状況時においては、フック３の一部をとり、残りのフック３を箱体１の中間部などにあわせたうえで各商品を吊るすことで補うことができる。逆に、残り少ないという販売意欲につながる状況を演出する為には、逆にフックを増やすことも可能となる。
出荷時の商品を販売後も、当初の対象商品以外の企画の商品に合わせた位置にフック３を取り付けることにより、様々な商品の展示に役立てることが可能となる。
【００１２】
以下、本発明の第四実施の形態について図１７から図１９をもちいて説明する。
図１７は本発明の第四実施形態の斜視図、図１８は本発明の第四実施形態の断面図、図１９は本発明の第四実施形態の使用状態図である。
本発明は、各箱体１が上下に組立可能となるようになっている。組立可能とするために、各箱体には任意の組立が可能となるような突起２３とこれに嵌合する嵌合孔２４が設けられている。図においては突起２３は上部に２箇所設けられており、嵌合孔２４はこれに対応するように設けられている。嵌合孔２４においては、図１９に示すように複数の組立が可能となるように配置されたものである。図１９において、下２段は横方向同位置に箱体１が位置するように嵌合孔２４が設けられている。また、上２段のように、ずらしても可能となるように嵌合孔２４が設けられている。その位置、個数に関しては、この事例に限定されるものではなく、様々な位置に組立可能であれば良い。
【００１３】
以下、本発明の第五実施の形態について図２０から図２２をもちいて説明する。
図２０は本発明の第五実施形態の斜視図、図２１は本発明の第五実施形態の断面図、図２２は本発明の第五実施形態の背面図である。
本発明の実施形態においては箱体１を壁に吊り下げ式に利用するものである。
箱体１の前面開口部には透明フィルム１７が着脱可能に設けられている。
箱体１には背板を延設する状態で吊持部３２が構成されており、該吊持部３２に壁などの設けられたフックにより吊り下げるための穴が設けられている。また、箱体１にはポップ台紙１１を収納するための収納部１３が構成されている。この収納部１３が前記実施形態と異なる点は、下に開口部を有し、収納したポップ台紙１１を図に示すように吊持可能とした点である。
ポップ台紙１１は、図２２に示すように上端が左右に突出した形状となっている。収納部１３は、この左右突出部が上下に移動可能となるような形状となるとともに、その開口部においては、ポップ台紙１１の印刷面は露出させるが前記突出部は抜けない構造となっている。
本発明は以上の構成よりなっている。
【００１４】
以下、本発明を使用法について説明する。
本発明を使用するときは、商品をフックに取り付けた状態にして透明フィルムにて箱体前面の開口部を塞ぐ。
また、ポップ台紙は収納部に収納した状態で下方に飛び出さないようにシールにて留める。
これを店舗で展示する場合は、壁などに取り付けられたフックを吊持部の穴に通して固定する。そのうえで前面透明フィルムを外し取り出し可能とするとともに、収納部に収納されたポップ台紙を下方に移動させるべくシールをはずし展示する。
【００１５】
以下、その他応用事例について図２２、図２３を利用して説明する。
これは、把手部の構造に関するものである。把手部としては、箱体１から露出したものであってもよいが、否形態時箱体に収まるものであれば、より展示性を向上させる。特に、前記実施形態のうち、組立式のものにおいては、その効果は如実である。
図に示す事例においては、箱体１の上壁部にスライド部２９となる溝を構成させ、そこに把手となるベルト体２５の両端部をスライド可能に収納できるようにしている。ベルト体両端部は、軸体３０を巻き込んで折り返し固定される構造となっている。また、その軸体３０が抜けないようにストッパー片２７が図示のように設けられている。これにより、非使用時はベルト体は箱体の壁部に収納され、携帯時、移動時には操作により飛び出し手で持ち運び可能となるようになっている。
【００１６】
上記、各実施形態の構成においては、権利範囲がこれに限定されるものではなく、上記内容を把握した上で可能な各種組み合わせを可能とするものである。
【００１７】
【発明の効果】
以上の説明から明らかなように、本発明にあっては次に列挙する効果が得られる。
店頭において、封具を取り外したり、ケース本体を開くことにより展示可能な状態にすることができる構成により、店頭展示に時間及び労力をかけずにおこなうことが可能となった。
流通時、梱包内の商品を封具あるいはケース前面を通してみることができるため、サンプル商品無しに営業が可能となった。また、梱包内の損傷品があった場合、開封前に確認することができるため、購入側はもちろん、販売側にとっても不要な経費および労力を省くことが可能となった。
また、梱包箱はその後陳列ケースとして使用できるため、ゴミとして廃棄せずに継続的に利用可能である。
フックが位置調整可能に設けられたものである場合、大きさの異なる商品に対応して使用することが可能となった。
ケース本体背面に商品販売促進の内容を表記したポップ台紙を収納する収納部を設けたことにより、ポップ台紙と商品を一緒に流通させることができるようになった。
ケース本体にポップ台紙を展示可能に取り付けられるポップ台紙支持機構を設けたことにより、店頭での展示作業がより楽に。
上下あるいは左右に任意の組立機構を具備する場合、組み立てることにより効率的に空間を利用できるとともに、その組立形によっては新たな装飾効果を生み出すことができる。
封具がポップ台紙である場合、封具をゴミとして捨てることがなくなり、環境汚染の回避に役立つものである。
【図面の簡単な説明】
【図１】本発明の使用断面図
【図２】本発明の斜視図
【図３】本発明の使用状態図
【図４】本発明の使用状態図
【図５】本発明の第二実施形態の正面図
【図６】本発明の第二実施形態の使用断面図
【図７】本発明の第二実施形態の使用断面図
【図８】本発明の第二実施形態の背面図
【図９】本発明の第二実施形態の使用正面図
【図１０】本発明の第二実施形態の使用断面図
【図１１】本発明の第三実施形態の斜視図
【図１２】本発明の第三実施形態の斜視分解図
【図１３】本発明の第三実施形態の断面図
【図１４】本発明の第三実施形態の断面分解図
【図１５】本発明の透明フィルムの背面図
【図１６】本発明の第三実施形態の斜視図
【図１７】本発明の第四実施形態の斜視図
【図１８】本発明の第四実施形態の断面図
【図１９】本発明の第四実施形態の使用状態図
【図２０】本発明の第五実施形態の斜視図
【図２１】本発明の第五実施形態の断面図
【図２２】本発明の第五実施形態の背面図
【図２３】本発明のその他実施の部分断面図
【図２４】本発明のその他実施の部分断面図
【符号の説明】
１；１ａ；１ｂ  箱体、                ２  ケース、
３  フック、                          ４  フック挿入部、
５  フックベース、                    ６  商品、
７  兆番、                            ８  把手、
９；９ａ；９ｂ  ストッパー、        １０  可動片、
１１  ポップ台紙、                    １２  ガイド溝、
１３  収納部、                        １４  立設溝、
１５  シール、                        １６  切り込み、
１７  透明フィルム、                  １８  つまみ部、
１９  差込穴、                        ２０  固定部材、
２１  粘着層、                        ２２  パッキン、
２３  突起、                          ２４  勘合孔、
２５  ベルト体、                      ２６  開口部、
２７ストッパー片、                    ２８  上面部、
２９  スライド部、                    ３０  軸体、
３１  輪ゴム、                        ３２  吊持部、
【図１】
2004267726.tif 000003
【図２】
2004267726.tif 000004
【図３】
2004267726.tif 000005
【図４】
2004267726.tif 000006
【図５】
2004267726.tif 000007
【図６】
2004267726.tif 000008
【図７】
2004267726.tif 000009
【図８】
2004267726.tif 000010
【図９】
2004267726.tif 000011
【図１０】
2004267726.tif 000012
【図１１】
2004267726.tif 000013
【図１２】
2004267726.tif 000014
【図１３】
2004267726.tif 000015
【図１４】
2004267726.tif 000016
【図１５】
2004267726.tif 000017
【図１６】
2004267726.tif 000018
【図１７】
2004267726.tif 000019
【図１８】
2004267726.tif 000020
【図１９】
2004267726.tif 000021
【図２０】
2004267726.tif 000022
【図２１】
2004267726.tif 000023
【図２２】
2004267726.tif 000024
【図２３】
2004267726.tif 000025
【図２４】
2004267726.tif 000026